(57)【要約】【課題】水質改良装置１を１個だけ水道管Ｐに取り付けたのでは、水道水全体に磁界を作用させることができない。【解決手段】流量メータＣを挟んで２個の水質改良装置１，１を取り付けると共に、両水質改良装置１，１の姿勢を相違させるようにした。【選択図】  図１
2004255303.tif 000002
【特許請求の範囲】
【請求項１】
１個の永久磁石と、この永久磁石の磁極の各々に取り付けられると共に、先端が各々水道管の表面に、水流方向に対して直角方向に対峙するように当接し得る１対のヨークとからなる磁界発生ユニットを２個有し、これら２個の磁界発生ユニットを、互いに近遠自在であって、相対するヨークが同種の磁極となるようにさせ、両磁界発生ユニットで水道管を両側から挟むことができるようにしたことを特徴とする水質改良装置。
【請求項２】
上記２個の磁界発生ユニットの一方にスライドレールを固定すると共に、他方をこのスライドレールに沿って進退自在に保持したことを特徴とする請求項１記載の水質改良装置。
【請求項３】
上記永久磁石を磁性体で覆い、磁束の漏洩を防止するようにしたことを特徴とする請求項１または請求項２記載の水質改良装置。
【請求項４】
上記請求項１から請求項３に記載の水質改良装置を１本の水道管に、水道管の長手方向に所定の間隔をあけて複数個取り付けることを特徴とする水質改良装置の取付方法。
【請求項５】
水質改良装置を構成する磁界発生ユニットの対向方向が各水質改良装置ごとに相違するように取り付けることを特徴とする請求項４に記載の水質改良装置の取付方法。
【請求項６】
２つの水質改良装置の間に流量メータが位置するように水質改良装置を取り付けることを特徴とする請求項４または請求項５に記載の水質改良装置の取付方法。
【発明の詳細な説明】
【０００１】
【発明の属する技術分野】
本発明は、水道管内の流れる水道水に磁界を作用させ水道水の改質を行う水質改良装置とその取付方法に関する。
【０００２】
【従来の技術】
水道管内の流れる水道水に対して外部から磁界を作用させ、導体である水道水中に電流を誘導させることにより水道水の改質を行う水質改良装置が多数提案されている。水道水中には水分子が多数結合したクラスタと呼ばれる比較的大きな粒子が存在することが知られている。地下水のように天然水と呼ばれている水にはこのクラスタが比較的少なく、逆に消毒等の化学処理された水道水ではクラスタの含有量が多い。
【０００３】
クラスタが覆い水道水中に電流が誘導されると、水分子は極性を有しているためクラスタが小さく分解される。この原理により、水道水が改質される。このようにクラスタを破壊するレベルの電流を水道水中に誘導するためには、水道水中に形成される磁界は強い方がよい。
【０００４】
例えば、図４（ａ）に示すように、１個のＮ極とＳ極とを対向させると、水道管が磁性体であるため、磁束は図において上下の管壁を通り、水道管の内部、すなわち水道水中に磁束は漏洩しにくい。漏洩する磁束が少ないということは磁束密度が粗であり、形成される磁界は弱いものとなる。
【０００５】
また、図４（ｂ）に示すように、Ｎ極とＳ極とを２個ずつ交互に配置した場合には、１つのＮ極から出た磁束が両側のＳ極に各々流れるため、やはり水道管内に漏洩する磁束は少なくなる。
【０００６】
これに対して、図５に示すように、同種の磁極が隣り合うように４個の磁極を配置すると、一方のＮ極から出た磁束は他方のＮ極に向かわず、反対側に位置するＳ極にのみ向かう。このため、図においてＤで示した部分にほとんど磁束が通らず、上記図４の示した２例に比べて磁路が半分になり、磁気飽和して磁束が水道管内に漏洩しやすくなる（例えば特許文献１）。
【０００７】
【特許文献１】
特開平１１−２９４６８６号公報（図２，図５）
【０００８】
【発明が解決しようとする課題】
上記特許文献１に記載のものでは、１個の永久磁石と、この永久磁石の磁極の各々に取り付けられると共に、先端が各々水道管の表面に、水流方向に対して直角方向に対峙するように当接し得る１対のヨークとからなる磁界発生ユニットを２個有しており、その２個の磁界発生ユニットを相互にネジ止めしているので、取り付け取り外し作業がきわめてやりにくい。また、上述のように水道管内に強力な磁界を形成することはできるが、水道管内の全域にわたって均一な磁界を形成することができない。また、水質改良装置を水道管に対して１個しか取り付けないので、磁界の強度が低い部分を通過した水道水には十分な強度の電流が誘導されず、クラスタが破壊されないまま通過するという問題が生じる。
【０００９】
そこで本発明は、上記の問題点を解消することのできる水質改良装置とその取付方法を提供することを課題とする。
【００１０】
【課題を解決するための手段】
上記課題を解決するために本発明による水質改良装置は、１個の永久磁石と、この永久磁石の磁極の各々に取り付けられると共に、先端が各々水道管の表面に、水流方向に対して直角方向に対峙するように当接し得る１対のヨークとからなる磁界発生ユニットを２個有し、これら２個の磁界発生ユニットを、互いに近遠自在であって、相対するヨークが同種の磁極となるようにさせ、両磁界発生ユニットで水道管を両側から挟むことができるようにしたことを特徴とする。
【００１１】
また、上記２個の磁界発生ユニットの一方にスライドレールを固定すると共に、他方をこのスライドレールに沿って進退自在に保持することが望ましい。
【００１２】
さらに、上記永久磁石を磁性体で覆い、磁束の漏洩を防止することが望まれる。
【００１３】
上記課題を解決するために本発明による水質改良装置は、上記の水質改良装置を１本の水道管に、水道管の長手方向に所定の間隔をあけて複数個取り付けることを特徴とする。
【００１４】
このように取り付けることにより、上流側の水質改良装置で破壊されなかったクラスタを下流側の水質改良装置で破壊することができる。
【００１５】
なお、水道管内の水流が層流の場合には水道管内で水道水が撹拌されない。そこで、水質改良装置を構成する磁界発生ユニットの対向方向が各水質改良装置ごとに相違するように取り付ければ、水道管内の水道水の流れが層流であっても、水道水のの全体に磁界を作用させることができる。
【００１６】
ところで、２つの水質改良装置の間に流量メータが位置するように水質改良装置を取り付ければ、流量メータ内を水道水が通過する際に撹拌され、水道水のより全体に磁界を作用させることができる。
【００１７】
【発明の実施の形態】
図１を参照して、Ｃは水道管Ｐの途中に取り付けられた流量メータである。本実施の形態では、水質改良装置１をこの流量メータＣを挟んで上流側と下流側とに各々取り付けるようにした。なお、図示のように、上流側の水質改良装置１と下流側の水質改良装置１とでは取り付け姿勢が９０度相違するように取り付けた。
【００１８】
図２および図３を参照して、この水質改良装置１は、２つの磁界発生ユニット２，３を備えている。そして、一方の磁界発生ユニット２には板状のガイドレール４が固定されている。そして、他方の磁界発生ユニット３はこのガイドレール４に沿って前後に移動することができる。従って水質改良装置１をパイプＰに取り付ける際には、磁界発生ユニット３を後退させておき、両磁界発生ユニット２，３の間にパイプＰを位置させる。そしてその状態のまま磁界発生ユニット３を前進させることによって、両磁界発生ユニット２，３でパイプＰを挟むことができる。
【００１９】
磁界発生ユニット２，３は共に磁性体からなるケーシング２１，３１を備えており、内部に収納された永久磁石２２，３２から磁束が漏洩しないように構成されている。このようにケーシング２１，３１から磁束が漏洩しないので、流量メータＣの作動に悪影響を及ぼすことがない。
【００２０】
永久磁石２２，３２には各々１対のヨーク２３，２４，３３，３４が吸着されている。永久磁石２２の磁極の配置は、共に図において上側がＮ極になるようにセットされている。したがって、ヨーク２３，３３の先端がＮ極に帯磁し、ヨーク２４，３４の先端がＳ極に帯磁する。
【００２１】
この結果、ヨーク２３，３３の先端から出た磁束は、各々ヨーク２４，３４の先端に流れ、図３に示すように、水道管Ｐ内には図３において左右部分に強力な磁界が形成される。
【００２２】
その強力な磁界部分を通過する水道水中に含まれるクラスタは、誘導電流により破壊される。ただし、水道管Ｐの中央部分を通過する水道水には十分な強度の磁界を作用させることができない。そのため、水道管Ｐの中央部分を通過するクラスタを破壊できない。
【００２３】
ところが、本実施の形態では、下流側の水質改良装置１の取り付け姿勢を９０度相違させたので、上流側の水質改良装置１が形成する磁界の位置と下流側の水質改良装置１が形成する磁界の位置とが異なり、水道水全体に磁界を作用させることができる。さらに、本実施の形態では、両水質改良装置１，１の間に流量メータＣを位置させたので、流量メータＣを通過する際に水道水が撹拌され、水道水に対してさらに均一に磁界を作用させることができる。
【図面の簡単な説明】
【図１】２個の水質改良装置の取付状態を示す図
【図２】水質改良装置の斜視図
【図３】水質改良装置の断面図
【図４】従来の磁極の配置を示す図
【図５】従来の他の磁極の配置を示す図
【符号の説明】
１  水質改良装置
２  磁界発生ユニット
３  磁界発生ユニット
４  ガイドレール
２２，３２  永久磁石
２３，２４，３３，３４  ヨーク
Ｃ  流量メータ
Ｐ  水道管
【図１】
2004255303.tif 000003
【図２】
2004255303.tif 000004
【図３】
2004255303.tif 000005
【図４】
2004255303.tif 000006
【図５】
2004255303.tif 000007